(57)【要約】【課題】読書に集中するという目的のために作られたシオリはない。また、老眼になると、老眼鏡をかけても、次の行へ移る時、頭の文字を探すのに迷うことがある。さらに、高齢者のために軽便なルーペ付きシオリがあれば便利である。【解決手段】学生が教科書などを読む場合、下敷きで片方の活字を隠して、それをずらしながら読み進むが、コの字型で両側を隠し、数行の活字のみを見るシオリを作り、それをずらしながら読み進めばもっと読書に集中できる。さらにこのシオリの変形で、高齢者のために、書物を閉じれば通常のシオリだが、書物を開けばバネ仕掛けでルーペが浮き上がって活字との間に適当な距離を保ち、拡大文字を見ることができるようにした。【選択図】図１
0003124530.tif 000002
【実用新案登録請求の範囲】
【請求項１】
書物にはさむシオリにおいて、書物を閉じた時はただのシオリだが、書物を開いた時は、縦書きの書物の場合は上からぶら下がる形、横書きの書物の場合は横から差し込む形のコの字型で、前後の行を隠し、コの字の枠の中の行数の活字のみが見える作りとし、それを指先でずらし、読書に集中しながら読み進めることを特徴とする読書用シオリ。
【請求項２】
請求項１の変形として、ステンレスやプラスティック等弾性素材にし、コの字の両側辺に山型あるいは菱形になるなどの反りをあたえて、その両側辺の上に軽量薄型のプラスティック製ルーペを貼り付け、書物を閉じた時はルーペをつけた弾性素材が押さえつけられて薄いシオリになるが、書物を開けば弾性素材がルーペを持ち上げて、コの字の中の拡大文字を読めるようにすることを特徴とする、読書用ルーペ付きシオリ。
【考案の詳細な説明】
【技術分野】
【０００１】  本考案は、読書に集中するためのシオリに関する。
【背景技術】
【０００２】  従来のシオリには、書類の行を間違いなく読むための行読み定規（例えば、特許文献１、２）がある。また、クリップを使用して行を指し示すと同時に、ページを抑えて読みやすくする効果を狙ったもの（例えば特許文献３）、レンズ付きしおり（例えば特許文献４）、拡大レンズ及びメジャーが付いたもの（例えば特許文献５）などがある。
【特許文献１】  実登３０１４６８４
【特許文献２】  実開昭５２−８７３４１
【特許文献３】  実開昭５８−１０１７７２
【特許文献４】  実開平６−７９５６８
【特許文献５】  意匠登録１０９０９７７
【考案の開示】
【考案が解決しようとする課題】
【０００３】  以上に述べた特許文献１はワープロなどの行のつまった書類を見るには便利だが、１行を読むためのものであり、読書には不向きである。特許文献２は、ある特定の行を指すにはよいが、読書に集中させようと意図したものではない。特許文献３は書類を抑えるという特徴をもっている反面、行を追う場合、いちいちクリップをつまんで移動させなければならないという不便さがともなう。拡大レンズがついているものとしては以下の２件があるが、特許文献４は、電話帳の中の電話番号など１行を拡大して読みとるにはすぐれているが、読書の場合、前の行を読み返したり次の行へ移る時などは却ってわずらわしい。特許文献５も、ごく一部の文字を拡大するにはいいが、読書には向かない。
【課題を解決するための手段】
【０００４】  本考案は、このような従来のシオリが有していた問題を解決しようとするものであり、請求項１は、書物を閉じた時はただのシオリだが、書物を開いた時は、縦書きの書物の場合は上からぶら下がる形（図４参照）、横書きの書物の場合は横から差し込む形のコの字型で、前後の行を隠し、コの字の枠の中の行数（例えば５行から１０行）の活字のみが見える作りとし、それを指先でずらし、読書に集中しながら読み進めることを特徴とするシオリで、紙・プラスティック・ステンレス等、素材は問わない。【０００５】  請求項２は、ステンレスやプラスティック等弾性素材とし、コの字の両側辺に山型あるいは菱形になるなどの反りをあたえて、その両側辺の上に軽量薄型のプラスティック製ルーペを貼りつけ、書物を閉じた時は弾性素材が押さえつけられて薄いシオリになるが、書物を開けば弾性素材がルーペを持ち上げて、コの字の中の拡大文字を読めるようにしたものである。請求項１は全ページ大である必要はない（図４参照）が、請求項２の場合は書籍の大きさに応じて文庫判用、四六判用等が必要となる。
【考案の効果】
【０００６】  学生は、教科書等の行を追って読むため、よく下敷きをあてがって片側の活字を隠し、それをずらしながら読むが、本考案請求項１は両側の活字を隠すコの字型であるので、さらに読書に集中することができる（図４参照）。請求項２は高齢者用に大きなルーペを取り付けたが、ルーペ越しに読書をする場合も、次の行の頭を探すのに苦労するという不便を、コの字型の枠が解消する。
【考案を実施するための最良の形態】
【０００７】  以下、本考案請求項１の実施の形態を図１〜図４に基づいて説明する。
図１は、本考案請求項１のコの字型枠の斜視図である。コの字型（１）の折り返し部分（４）を書物数枚の下へ入れてはさみ、ずらしながら読み進めば、読書に集中するのに適した行数の活字をコの字の中にとらえることができる。
図２は図１のコの字型枠の側面図である。４を書物に差し込んで引っかけ、数枚を挟んだままずらしながら読み進む。
図３はコの字型枠の平面図。１−ａは上から見た図で、折り返しの４は向こう側に折り曲げてある。１−ｂは１−ａを裏返した図であり、４は手前に折り曲げてある。
図４はシオリを書物にあてはめて実際に使う場合の平面図で、１は枠、５は書物である。１は書物の上に引っかけ、指１本でずらしながら読む。８は企業名やマークなどのコマーシャル。【０００８】  以下、本考案請求項２の実施の形態を図５〜図８に基づいて説明する。
図５は、本考案請求項２の全容を示す斜視図である。枠は弾性素材のステンレスまたはプラスティック製とし、２と６で書物をはさんで使用する。７の部分で２に貼り付けた３（斜線部分）のルーペは、高齢者が読書をするのに適した間隔を活字との間に保つが、書物を閉じれば弾性素材と共につぶれて通常のシオリになる。
図６は、図５の側面図である。
図７は、同平面図で、２−ａは上から見た図。２−ｂは裏側から見た図で、６は手前に折り曲げてある。
図８は２を開いた書物の１ページ（５）にあてがって使用する時の平面図であり、３（斜線部分）の文字が拡大される。
【産業上の利用可能性】
【０００９】  コマーシャル（８）の文字列は縦書きの書物の場合は横、横書きの書物の場合は縦となるから読書の妨げにはならず、宣伝用のノベルティーとしても使えるものとなる。ことに請求項１はコストもかからないのでノベルティーに向いている。
【図面の簡単な説明】
【００１０】
【図１】本考案請求項１の斜視図
【図２】同側面図
【図３】同平面図
【図４】同書籍にあてがって読む場合の平面図
【図５】請求項２の斜視図
【図６】同側面図
【図７】同平面図
【図８】同書籍にあてがって読む場合の平面図
【符号の説明】
【００１１】１  請求項１のコの字型枠。
２  請求項２のルーペをつけるコの字型枠。
３  プラスティック製の薄いルーペ。
４  １と一枚板で、折り返した部分。
５  書物の１ページ。
６  ２と一枚板で折り返した部分。
７  ルーペとルーペ枠を貼り合わせた部分。
８  企業名などのコマーシャル。
【図１】
0003124530.tif 000003
【図２】
0003124530.tif 000004
【図３】
0003124530.tif 000005
【図４】
0003124530.tif 000006
【図５】
0003124530.tif 000007
【図６】
0003124530.tif 000008
【図７】
0003124530.tif 000009
【図８】
0003124530.tif 000010
【手続補正書】
【提出日】平成18年5月26日(2006.5.26)
【手続補正１】
【補正対象書類名】実用新案登録請求の範囲
【補正対象項目名】全文
【補正方法】変更
【補正の内容】
【実用新案登録請求の範囲】
【請求項１】
書物にはさむシオリにおいて、書物を閉じた時はただのシオリだが、書物を開いた時は、縦書きの書物の場合は上からぶら下がる形、横書きの書物の場合は横から差し込む形のコの字型で、前後の行を隠し、コの字の枠の中の行数の活字のみが見える作りとし、それを指先でずらし、読書に集中しながら読み進めることを特徴とする読書用シオリ。
【請求項２】
請求項１記載の読書用シオリにおいて、ステンレスやプラスティック等弾性素材にし、コの字の両側辺に山型あるいは菱形になるなどの反りをあたえて、その両側辺の上に軽量薄型のプラスティック製ルーペを貼り付け、書物を閉じた時はルーペをつけた弾性素材が押さえつけられて薄いシオリになるが、書物を開けば弾性素材がルーペを持ち上げて、コの字の中の拡大文字を読めるようにすることを特徴とする、読書用ルーペ付きシオリ。